(57)【要約】【課題】器具本体の内側面と導光板との間の隙間の狭小化を図る。【解決手段】導光板３９は、複数の側板２１に沿うように器具本体２の内側に配置されている。光源（ＬＥＤ３００）は、器具本体２内において複数の導光板３９の端面と対向し、端面から導光板３９内に光を入射するように構成されている。反射部材４は、底板２０と前面との間に配置されており、前面との対向面で複数の導光板３９から出射される光を前面に向けて反射するように構成されている。複数の側板２１は、導光板３９と対向する部分のうちの少なくとも一部分（主部２１０）を、導光板３９に近付ける向きに変位させるように構成されている。【選択図】        図６
2018022673.tif 000002
【特許請求の範囲】
【請求項１】
１つ又は複数少なくとも１つの導光板と、１つ又は複数少なくとも１つの光源と、器具本体と、反射部材とを備え、
前記器具本体は、底板と、前記底板の周囲に配置されている１つ又は複数少なくとも１つの側板とを有し、前記底板と対向する前面が開放されており、
前記１つ又は複数の導光板は、前記１つ又は複数の側板に沿うように前記器具本体の内側に配置され、
前記１つ又は複数の光源は、前記器具本体内において前記１つ又は複数の導光板の端面と対向し、前記端面から前記導光板内に光を入射するように構成され、
前記反射部材は、前記底板と前記前面との間に配置されており、前記前面との対向面で前記１つ又は複数の導光板から出射される光を前記前面に向けて反射するように構成されており、
前記１つ又は複数の側板は、前記導光板と対向する部分のうちの少なくとも一部分を、前記導光板に近付ける向きに変位させるように構成されていることを特徴とする照明器具。
【請求項２】
前記側板と前記光源との間に配置され、前記光源から放射される光を前記側板から遠ざかる向きに反射させる反射体を備えていることを特徴とする請求項１記載の照明器具。
【請求項３】
前記器具本体を補強する補強部材を備え、
前記補強部材は、前記底板の外表面に接する第１補強部と、前記第１補強部の両端から前記側板に沿って突出し、かつ、前記側板の外表面のうちで前記導光板に近付く向きに変位していない部分の外表面に接する一対の第２補強部とを有していることを特徴とする請求項１又は２記載の照明器具。
【請求項４】
前記光源と前記導光板を支持する少なくとも１つの支持部材と、少なくとも１つの調整部材と、少なくとも１つの調整ねじとを、更に備え、
前記支持部材は、前記導光板の前記端面に前記光源を対向させて支持し、かつ、前記底板に取り付けられ、
前記調整部材は、前記支持部材に固定される固定部と、前記固定部から突出して前記底板と対向する突板部とを有し、
前記突板部は、前記突板部を貫通して前記調整ねじがねじ込まれるめねじ部を有していることを特徴とする請求項１〜３のいずれか１項に記載の照明器具。
【請求項５】
前記底板は、前記支持部材が取り付けられる少なくとも１つの取付部を有し、前記取付部は、前記底板に対して変位可能に構成されていることを特徴とする請求項４記載の照明器具。
【請求項６】
前記取付部は、前記底板に片持ちされた板状に形成されていることを特徴とする請求項５記載の照明器具。
【発明の詳細な説明】
【技術分野】
【０００１】
本発明は、照明器具に関し、より詳細には、導光板を備えた照明器具に関する。
【背景技術】
【０００２】
従来、導光板を備えた照明器具が提供されている。例えば、特許文献１記載の照明器具（照明装置）は、天井に取り付けられる取付部材と、取付部材に取り付けられる光源部本体とを備えている。光源部本体は、導光板、発光素子、反射シートなどを備えている。導光板は、アクリル樹脂等の透光性を有する合成樹脂材料によって矩形の平板状に形成されている。反射シートは、導光板の上面に配置される。発光素子は、発光ダイオードからなり、導光板の周囲に配置される。つまり、特許文献１記載の照明器具は、発光素子から放射される光（光束）を導光板の周端面から入射させ、導光板全体を発光させるように構成されている。
【先行技術文献】
【特許文献】
【０００３】
【特許文献１】特開２０１３−１３４９５３号公報
【発明の概要】
【発明が解決しようとする課題】
【０００４】
ところで、特許文献１記載の照明器具は、導光板を照明空間に正対させて導光板から放射される光を照明空間に直接照射するように構成されている。一方、別の照明器具として、箱形の器具本体の内側面に導光板が配置され、器具本体内に収納されている反射板に、導光板から放射される光を反射させて照明空間に照射するように構成される照明器具がある。このような照明器具においては、器具本体の内側面に沿って発光素子の収納スペースが必要であるため、器具本体の内側面と導光板との間の距離が広くなって光が漏れてしまう可能性がある。
【０００５】
本発明の目的は、器具本体の内側面と導光板との間の隙間の狭小化を図ることができる照明器具を提供することである。
【課題を解決するための手段】
【０００６】
本発明の一態様に係る照明器具は、１つ又は複数少なくとも１つの導光板と、１つ又は複数少なくとも１つの光源と、器具本体と、反射部材とを備えている。前記器具本体は、底板と、前記底板の周囲に配置されている１つ又は複数少なくとも１つの側板とを有し、前記底板と対向する前面が開放されている。前記１つ又は複数の導光板は、前記１つ又は複数の側板に沿うように前記器具本体の内側に配置されている。前記１つ又は複数の光源は、前記器具本体内において前記１つ又は複数の導光板の端面と対向し、前記端面から前記導光板内に光を入射するように構成されている。前記反射部材は、前記底板と前記前面との間に配置されており、前記前面との対向面で前記１つ又は複数の導光板から出射される光を前記前面に向けて反射するように構成されている。前記１つ又は複数の側板は、前記導光板と対向する部分のうちの少なくとも一部分を、前記導光板に近付ける向きに変位させるように構成されている。
【発明の効果】
【０００７】
本発明の照明器具は、器具本体の内側面と導光板との間の隙間の狭小化を図ることができるという効果がある。
【図面の簡単な説明】
【０００８】
【図１】図１は、本発明の実施形態１に係る照明器具の下から見た分解斜視図である。
【図２】図２は、同上の照明器具の上から見た分解斜視図である。
【図３】図３Ａは、同上の照明器具の正面図である。図３Ｂは、同上の照明器具の背面図である。図３Ｃは、同上の照明器具の左側面図である。
【図４】図４は、同上の照明器具の下から見た斜視図である。
【図５】図５は、同上の照明器具の断面図である。
【図６】図６は、同上の照明器具の一部省略した断面図である。
【図７】図７は、同上の照明器具における係合部の斜視図である。
【図８】図８は、同上の照明器具における反射部材及び被係合部の一部省略した背面図である。
【図９】図９は、同上の照明器具における光源ユニットの分解斜視図である。
【図１０】図１０は、本発明の実施形態２に係る照明器具の下から見た斜視図である。
【図１１】図１１Ａは、同上の照明器具の正面図である。図１１Ｂは、同上の照明器具の下面図である。図１１Ｃは同上の照明器具の左側面図である。図１１Ｄは、同上の照明器具の平面図である。
【図１２】図１２は、同上の照明器具の断面図である。
【図１３】図１３は、実施形態１の照明器具の変形例を示し、反射部材が外された状態の下から見た斜視図である。
【図１４】図１４は、実施形態２の照明器具の変形例を示し、反射部材が外された状態の下から見た斜視図である。
【図１５】図１５は、同上の２つの変形例における調整部材と調整ねじを含む要部の斜視図である。
【図１６】図１６は、同上の２つの変形例における要部の断面図である。
【図１７】図１７は、同上の２つの変形例における取付部を含む器具本体の一部省略した正面図である。
【発明を実施するための形態】
【０００９】
以下、本発明の実施形態に係る照明器具について、図面を参照して詳細に説明する。なお、以下の実施形態１、２に係る照明器具は、天井に設けられる埋込孔に埋め込まれるようにして天井に配置される、埋込型の照明器具である。ただし、実施形態１、２に係る照明器具は天井埋込型の照明器具に限定されず、例えば、天井に直付けされる直付け型の照明器具、あるいは、壁に取り付けられる照明器具などであってもよい。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
（実施形態１）
本実施形態に係る照明器具１Ｘ（以下、照明器具１Ｘと略す）は、導光板３９及びと、光源をそれぞれ有する４つの光源ユニット３と、器具本体２と、反射部材４とを備えている。照明器具１Ｘは、さらに、電源装置６、仮保持部材５、引掛具４２及び引掛ばね１２を備えることが好ましい。ただし、以下の説明では、特に断りのない限り、図１において、照明器具１Ｘの上下、左右及び前後の各方向を規定する。
【００１１】
器具本体２は、図１〜図５に示すように、底板２０と、４つの側板２１とで矩形の箱形に形成されることが好ましい。底板２０は、鋼板などの金属板によって矩形（例えば、正方形）に形成されている。４つの側板２１はそれぞれ、主部２１０と、連結部２１１と、外鍔部２１２とを有している（図２及び図６参照）。主部２１０は、長尺の矩形板状に形成されている。連結部２１１は、長尺の矩形板状に形成され、連結部２１１の下端と主部２１０の上端とが連結されている。ただし、連結部２１１の下端部分（主部２１０につながる部分）は、内向き（底板２０に近付く向き）に傾斜するように曲げられている（図６参照）。外鍔部２１２は、長尺の矩形板状に形成されている。外鍔部２１２は、主部２１０の下端から外向き（底板２０から離れる向き）に突出している。外鍔部２１２の先端部分が上向きに曲げ起こされている（図６参照）。なお、主部２１０、連結部２１１及び外鍔部２１２は、鋼板などの金属板が曲げ加工されることで一体に形成されることが好ましい。また、底板２０と４つの側板２１のうちの少なくとも１つの側板２１とは、鋼板などの金属板が曲げ加工されることで一体に形成されることが好ましい。ただし、底板２０と別体に形成される側板２１は、溶接などの適宜の方法で底板２０及び他の側板２１と連結（接合）されることが好ましい。
【００１２】
底板２０は、前後方向の中央に、２つの電線挿通孔２４と、１つの引掛孔２５とが設けられている（図１参照）。１つの電線挿通孔２４は、底板２０の右端に設けられている。残り１つの電線挿通孔２４は、底板２０の左右方向の中央近くに設けられている。２つの電線挿通孔２４は、底板２０を上下方向に貫通する丸孔であり、電線を保護するためにグロメットが嵌め込まれることが好ましい。中央寄りの電線挿通孔２４に電灯線（電力系統からの給電用の電線）が挿通される。右端の電線挿通孔２４に信号線（調光信号の伝送媒体となる電線）が挿通される。ここで、底板２０の下面における２つの電線挿通孔２４の近くに、第１端子台１０及び第２端子台１１が取り付けられている（図１参照）。第１端子台１０は、中央寄りの電線挿通孔２４に挿通される電灯線と電気的に接続される。第２端子台１１は、右端の電線挿通孔２４に挿通される信号線と電気的に接続される。引掛孔２５は、底板２０の前後方向の中央における左端において、底板２０を上下方向に貫通するように形成されている。引掛孔２５は、上下方向から見て正方形状の角孔と、この角孔の対角方向（前後方向）に沿って突出する長尺の矩形状の角孔とで構成されている（図１参照）。
【００１３】
さらに、底板２０は、左右方向の中央に、４つの取付孔２３が設けられている（図１参照）。これら４つの取付孔２３は、底板２０を貫通する長円形の孔である。また、底板２０の下面における右前方の隅及び右後方の隅に、２つの引掛ばね１２がそれぞれ１つずつ取り付けられている。これら２つの引掛ばね１２は、ばね性を有する帯状の板材によって、略Ω形状に形成されることが好ましい（図１参照）。
【００１４】
ここで、器具本体２は、補強部材２２を有することが好ましい（図２参照）。補強部材２２は、第１補強部２２１と、一対の第２補強部２２２と、一対の第３補強部２２３とを有している。第１補強部２２１は、長尺の矩形板状に形成されている（図２及び図３Ｂ参照）。第１補強部２２１の長手方向の中央には、円形の電線挿通孔２２１０が貫通している。さらに、第１補強部２２１の長手方向における電線挿通孔２２１０の両側に、それぞれ円形のボルト挿通孔２２１１が２つずつ貫通している。一対の第２補強部２２２はそれぞれ、概ね矩形板状であって、上側の２つの角がＣ面取りされている（図３Ｃ参照）。一対の第２補強部２２２はそれぞれ、第１補強部２２１の前端及び後端から下向きに突出するように第１補強部２２１と一体に形成されることが好ましい。一対の第３補強部２２３はそれぞれ、概ね矩形板状であって、上側の２つの角がＣ面取りされている（図２及び図６参照）。一対の補強片３２３第３補強部２２３はそれぞれ、第１補強部２２１の左端及び右端から上向きに突出するように第１補強部２２１と一体に形成されることが好ましい。補強部材２２は、底板２０の上面における左右方向の中央に第１補強部２２１がねじ止めされる（図２参照）。
【００１５】
さらに、器具本体２には、仮保持部材５の構成要素である２つの係合部５０が設けられている（図１参照）。係合部５０は、図７に示すように、長尺の矩形板状に形成されている主片５００と、主片５００の長手方向Ｘ１の第１端に設けられている引掛片５０１とを有している。また、係合部５０は、主片５００の長手方向Ｘ１の第２端から厚み方向Ｘ２に突出する矩形板状の固定片５０２を有することが好ましい。さらに、主片５００は、引掛片５０１につながる端部を、固定片５０２と反対向きの厚み方向Ｘ２に屈曲させた屈曲部５０３を有することが好ましい。引掛片５０１は矩形板状に形成されている。引掛片５０１の長手方向の幅寸法は、主片５００の短手方向Ｘ３の幅寸法よりも大きい。固定片５０２には、円筒形のねじ挿通孔５０４が貫通している。これら２つの係合部５０は、器具本体２の底板２０の内底面（下面）において、引掛孔２５を挟んで前後方向に並ぶ位置に取り付けられている（図１参照）。具体的には、固定片５０２のねじ挿通孔５０４に挿通されるねじが、底板２０に設けられているねじ孔にねじ込まれることによって、係合部５０が底板２０にねじ止めされている。ただし、２つの係合部５０は、引掛片５０１を距離の近い側（左側）の側板２１に対向させる向きで底板２０に取り付けられることが好ましい。
【００１６】
反射部材４は、反射板４０、４つの反射側板４１、仮保持部材５、２つの引掛具４２及び１つの取付ばね４３などを有することが好ましい（図１〜図５参照）。反射板４０は、鋼板などの金属板によって、器具本体２の底板２０に相似した形状（正方形）に形成されている。ただし、反射板４０の縦横（前後左右）の長さは、器具本体２の内側の縦横の長さよりも僅かに（例えば、十数ミリメートル〜数十ミリメートルほど）短い（図５参照）。４つの反射側板４１は、反射板４０の４つの辺からそれぞれＬ字形に曲げ起こされて、反射板４０と一体に形成されていることが好ましい（図２参照）。２つの引掛具４２は、菱形の板状に形成されている（図２参照）。２つの引掛具４２は、反射板４０の上面における左前方の隅及び左後方の隅に、左側の反射側板４１と平行して起立するように設けられている（図２参照）。
【００１７】
仮保持部材５は、２つの係合部５０がそれぞれ離脱可能に係合する被係合部５１を有している。つまり、被係合部５１は、２つの係合部５０とともに仮保持部材５の構成要素である。被係合部５１は、２つの貫通孔が設けられているベース板５２を有している（図２参照）。ベース板５２は、鋼板などの金属板によって長尺の矩形板状に形成されている。ベース板５２は、長手方向（前後方向）に沿った両端縁が厚み方向に沿ってほぼ直角に曲げ起こされ、曲げ起こされた両端縁の先端を反射板４０に当てるようにして、反射部材４の上面に取り付けられている。つまり、ベース板５２は、反射板４０と厚み方向（上下方向）に距離を空けて対向しており、反射板４０との間に空間を形成している（図５参照）。
【００１８】
２つの貫通孔はそれぞれ、第１貫通孔５２０と第２貫通孔５２１で構成されている（図８参照）。第２貫通孔５２１は、ベース板５２の短手方向と平行になるように、長尺の矩形状にベース板５２を貫通して形成されている。第１貫通孔５２０は、第２貫通孔５２１の長手方向Ｙ１の一端（反射側板４１に近い方の一端）寄りの端部において、第２貫通孔５２１の短手方向Ｙ２の幅を拡げるように、矩形状にベース板５２を貫通して形成されている。つまり、第１貫通孔５２０と第２貫通孔５２１とはつながっている。ここで、第１貫通孔５２０は、長手方向の幅寸法を係合部５０の引掛片５０１の長手方向の幅寸法よりも長く、かつ、短手方向の幅寸法を第２貫通孔５２１の長手方向の幅寸法よりも短くするように形成されている。また、第２貫通孔５２１は、短手方向Ｙ２の幅寸法を、係合部５０の主片５００の短手方向の幅寸法よりも長く、かつ、引掛片５０１の長手方向の幅寸法よりも短くするように形成されている。ただし、第１貫通孔５２０の一部分は、第２貫通孔５２１に近付くにつれて短手方向の幅寸法を徐々に大きくした三角形状に形成されていることが好ましい。第１貫通孔５２０の一部分が三角形状に形成されていれば、第１貫通孔５２０に挿通された主片５００をスムーズに第２貫通孔５２１へ移動させることができる。これら２つの貫通孔はそれぞれ、ベース板５２の長手方向の両端に配置されている（図８参照）。
【００１９】
取付ばね４３は、コイル部４３０と、一対の腕部４３１とを有するねじりコイルばねである（図２及び図８参照）。また、取付ばね４３は、一対の腕部４３１のそれぞれの先端部分が曲げられることで引掛部４３２が設けられている。取付ばね４３は、ベース板５２の長手方向の中央に、取付金具４４によって取り付けられている（図８参照）。取付金具４４は、帯状の金属板によってＵ字状に形成されている。取付金具４４は、コイル部４３０に挿通された状態において、長手方向の一端部がベース板５２にねじ止めされている。
【００２０】
電源装置６は、電力系統から供給される交流電力を直流電力に変換する電力変換回路、電源用の入力端子台６２、信号用の入力端子台６３、出力端子台６４などが実装されたプリント配線板を金属製のケース６０に収納して構成されている（図１及び図５参照）。電源用の入力端子台６２は、第１端子台１０と電線を介して電気的に接続される。信号用の入力端子台６３は、信号変換装置６５と電線を介して電気的に接続される。信号変換装置６５は、第２端子台１１を介して信号線に電気的に接続され、信号線によって伝送される、パルス幅変調（ＰＷＭ）方式の調光信号を直流の電圧信号に信号変換する。電源装置６の電力変換回路は、信号変換装置６５で信号変換された電圧信号の電圧レベル、すなわち、調光信号で指示された調光レベルに応じて、出力（出力電流）を増減するように構成されている。電源装置６並びに信号変換装置６５は、器具本体２の底板２０の下面における後端寄りの位置に取り付けられている。
【００２１】
４つの光源ユニット３はそれぞれ同一の構成を有している。ゆえに、以下では、図６及び図９を参照して１つの光源ユニット３の構成のみを説明する。光源ユニット３は、ＬＥＤモジュール３０、第１支持部材３１、第２支持部材３２、反射シート３４、弾性シート３５、複数本の固定ピン３６、複数本の結合ねじ３７及び複数本の固定ねじ３８などを有している。
【００２２】
ＬＥＤモジュール３０は、光源である複数個（図示例では６０個）のＬＥＤ（発光ダイオード）３００、これら複数個のＬＥＤ３００が実装されている基板３０１、２つのコネクタ３０２などを有している（図９参照）。基板３０１は、長尺の矩形板状に形成されている。複数個のＬＥＤ３００は、基板３０１の下面における短手方向の第１端側に、長手方向に沿ってほぼ等間隔かつ直線上に並ぶように実装されている。また、２つのコネクタ３０２は、基板３０１の下面における長手方向の両端近くにそれぞれ実装されている。なお、これら２つのコネクタ３０２は、基板３０１の下面に形成されている導体（プリント配線）を介して、複数個のＬＥＤ３００と電気的に接続されている。なお、基板３０１は、短手方向の第２端側における長手方向の両端近く及び中央に、３つのねじ挿通孔３０３が設けられている。
【００２３】
第１支持部材３１は、天板３１０と、第１結合片３１１と、第１支持片３１２と、第１連結片３１３とを有することが好ましい。天板３１０は、長尺の平板状に形成されている。天板３１０の長手方向の両端及び中央に、それぞれ３つの第１ねじ孔３１６及び３つのボルト挿通孔が設けられている。第１結合片３１１は、長尺の矩形板状に形成されている。第１結合片３１１の長手方向の両端及び中央に、それぞれ３つのめねじ部３１４が設けられている。第１結合片３１１は、天板３１０の長手方向に沿った第１端から下向きに突出している。第１支持片３１２は、長尺の矩形板状に形成されている。第１支持片３１２の長手方向の両端及び中央に、それぞれ３つの第１ピン挿通孔３１５が設けられている。これら３つの第１ピン挿通孔３１５は長孔状に形成されている。ただし、第１支持片３１２の長手方向の両端に設けられている２つの第１ピン挿通孔３１５は、第１支持片３１２の長手方向に対して長軸の方向が平行している。一方、第１支持片３１２の長手方向の中央に設けられている１つの第１ピン挿通孔３１５は、第１支持片３１２の短手方向（上下方向）に対して長軸の方向が平行している（図９参照）。第１連結片３１３は、長尺の矩形板状であって、下端部分が斜めに曲げ起こされている（図６参照）。第１連結片３１３の上端に天板３１０の長手方向に沿った第２端が連結され、第１連結片３１３の下端に第１支持片３１２の上端が連結されている。なお、天板３１０、第１結合片３１１、第１支持片３１２及び第１連結片３１３は、金属板が加工されることで一体に形成されることが好ましい（図９参照）。
【００２４】
第２支持部材３２は、底壁３２０と、第２結合片３２１と、第２支持片３２２と、補強片３２３とを有することが好ましい。底壁３２０は、長尺の平板状に形成されている。第２結合片３２１は、長尺の矩形板状に形成されている。なお、底壁３２０は、３つの窓孔３２６が底壁３２０の長手方向に沿って直線上に並ぶように設けられている。これら３つの窓孔３２６はそれぞれ、底壁３２０を厚み方向に貫通して矩形に形成されている。第２結合片３２１の長手方向の両端及び中央に、それぞれ３つのねじ挿通孔３２４が設けられている。第２結合片３２１は、底壁３２０の長手方向に沿った第１端から上向きに突出している。第２支持片３２２は、長尺の矩形板状に形成されている。第２支持片３２２の長手方向の両端及び中央に、それぞれ３つの第２ピン挿通孔３２５が設けられている。これら３つの第２ピン挿通孔３２５は長孔状に形成されている。ただし、第２支持片３２２の長手方向の両端に設けられている２つの第２ピン挿通孔３２５は、第２支持片３２２の長手方向に対して長軸の方向が平行している（図９参照）。一方、第２支持片３２２の長手方向の中央に設けられている１つの第２ピン挿通孔３２５は、第２支持片３２２の短手方向（上下方向）に対して長軸の方向が平行している（図６参照）。補強片３２３は、長尺の矩形板状に形成されている。補強片３２３は、第２支持片３２２の上端から底壁３２０に平行して突出している。
【００２５】
反射シート３４は、ポリエチレンテレフタレートなどの合成樹脂製のシート材が白色に着色されることで表面が反射面（拡散面）となるように形成されている。また、反射シート３４は、底部３４０と、固定部３４１とを有することが好ましい。底部３４０及び固定部３４１はそれぞれ、長尺の矩形板状に形成されている。固定部３４１は、底部３４０の長手方向に沿った第１端から下向きに突出している。固定部３４１の長手方向の両端及び中央に、それぞれ３つのピン孔３４２が設けられている。これら３つのピン孔３４２は長孔状に形成されている。ただし、固定部３４１の長手方向の両端に設けられている２つのピン孔３４２は、固定部３４１の長手方向に対して長軸の方向が平行している。一方、固定部３４１の長手方向の中央に設けられている１つのピン孔３４２は、固定部３４１の短手方向（上下方向）に対して長軸の方向が平行している（図９参照）。
【００２６】
弾性シート３５は、例えば、シリコーンゴムなどの弾性を有する材料によって、長尺の矩形板状に形成されている。
【００２７】
固定ピン３６は、円柱状のピン本体３６０と、ピン本体３６０の軸方向（長手方向）の中央に設けられる円板状のフランジ３６１とを有することが好ましい（図６参照）。ただし、ピン本体３６０の直径は、第１支持部材３１の第１ピン挿通孔３１５、第２支持部材３２の第２ピン挿通孔３２５、反射シート３４のピン孔３４２のそれぞれの短軸の径よりも僅かに小さい。なお、以下の説明では、フランジ３６１の表面側に突出するピン本体３６０を第１ピン本体と呼び、フランジ３６１の裏面側に突出するピン本体３６０を第２ピン本体と呼ぶ場合がある。
【００２８】
導光板３９は、図６及び図９に示すように、アクリル樹脂やポリカーボネート樹脂などの透光性を有する合成樹脂材料によって、長尺の矩形板状に形成されることが好ましい。導光板３９は、上部の長手方向の中央と両端近くの３箇所に円形の挿通孔３９０がそれぞれ設けられている。これら３つの挿通孔３９０は、導光板３９を厚み方向に貫通している。なお、導光板３９は、厚み方向に対向する両面（第１表面及び第２表面）のうち、少なくとも反射部材４と対向する側の表面（第１表面）に細かな凹凸が形成されることが好ましい。また、導光板３９の下端面は、第２支持部材３２に近付く向きに傾斜する傾斜面であることが好ましい（図６及び図９参照）。
【００２９】
光源ユニット３は、以下のような手順で組み立てられることが好ましい。まず、第１支持部材３１の内側に反射シート３４及びＬＥＤモジュール３０が重ねて収められる。そして、ＬＥＤモジュール３０の基板３０１の３つのねじ挿通孔３０３にそれぞれ３本の固定ねじ３８が挿通される。これら３本の固定ねじ３８が、第１支持部材３１の天板３１０の３つの第１ねじ孔３１６にねじ込まれる。その結果、ＬＥＤモジュール３０が第１支持部材３１の天板３１０に固定される（図６参照）。
【００３０】
続いて、３本の固定ピン３６のピン本体３６０（第１ピン本体）が、反射シート３４の３つのピン孔３４２、導光板３９の３つの挿通孔３９０、第１支持部材３１の３つの第１ピン挿通孔３１５に、それぞれ順番に挿通される。そして、３本の固定ピン３６のピン本体３６０（第２ピン本体）が、第２支持部材３２の第２ピン挿通孔３２５に挿通される（図６参照）。さらに、第２支持部材３２の第２結合片３２１が第１支持部材３１の第１結合片３１１と重ねられ、第２結合片３２１のねじ挿通孔３２４に挿通される結合ねじ３７が、第１結合片３１１のめねじ部３１４にねじ込まれる。ただし、第２結合片３２１と反射シート３４の固定部３４１との間に弾性シート３５が挟み込まれる（図６参照）。その結果、第１支持部材３１の第１結合片３１１と第２支持部材３２の第２結合片３２１とが３本の結合ねじ３７で結合される。さらに、第１支持部材３１（の第１支持片３１２）と第２支持部材３２（の第２支持片３２２）とが、導光板３９を挟んで３本の固定ピン３６で連結される。その結果、導光板３９は、３本の固定ピン３６を介して、第１支持部材３１の第１支持片３１２と第２支持部材３２の第２支持片３２２に厚み方向から挟まれて支持される（図６参照）。ここで、導光板３９の上面は、第１支持部材３１の天板３１０に取り付けられているＬＥＤモジュール３０の複数個のＬＥＤ３００のそれぞれと上下方向に対向している（図６参照）。
【００３１】
上述のようにして組み立てられた４つの光源ユニット３は、以下のような手順で器具本体２にそれぞれ取り付けられる。まず、１つの光源ユニット３の第１支持部材３１の天板３１０が、器具本体２の底板２０の下面における１つの周縁部分に重ねられる。そして、第２支持部材３２の底壁３２０の３つの窓孔３２６を通して、３本のボルト１３が、第１支持部材３１の天板３１０に設けられている３つのボルト挿通孔と、器具本体２の底板２０に設けられている３つの孔にそれぞれ挿通される。そして、底板２０の上面側に突出した３本のボルト１３に、３つのナット１４がそれぞれ締め付けられる（図５及び図６参照）。その結果、１つの光源ユニット３が器具本体２（の底板２０）の周縁部分に取り付けられる。なお、残り３つの光源ユニット３も同様にして器具本体２（の底板２０）の周縁部分に取り付けられる。このとき、４つの導光板３９はそれぞれ、器具本体２の４つの側板２１（の主部２１０）の内側面（底板２０に臨む側面）との間に微小な隙間を空けて配置されることが好ましい。
【００３２】
また、反射部材４は、以下のような手順で器具本体２に取り付けられる。まず、一対の係合部５０のそれぞれの引掛片５０１が、ベース板５２の一対の第１貫通孔５２０に挿通された後、取付ばね４３の一対の腕部４３１が、器具本体２の底板２０の引掛孔２５に挿通される。そして、一対の係合部５０を支点として反射部材４が回転されながら器具本体２内に収容される。すると、取付ばね４３の一対の腕部４３１が引掛孔２５に挿入されながら外向きに広がり、一対の腕部４３１のそれぞれの根元部分（コイル部４３０に近い部分）が底板２０の引掛孔２５の周縁に引っ掛けられる。さらに、２つの引掛具４２がそれぞれ、器具本体２の底板２０に取り付けられている２つの引掛ばね１２に引っ掛けられる。その結果、反射部材４は、器具本体２内に収容された状態で、取付ばね４３と２つの引掛ばね１２のばね力によって器具本体２に支持される（図５参照）。このとき、一対の係合部５０のそれぞれの引掛片５０１は、ベース板５２から離れて、ベース板５２と反射板４０との間に形成されている空間に退避している（図５参照）。
【００３３】
次に、照明器具１Ｘの施工手順を説明する。まず、施工作業を行う作業者は、反射部材４を取り外した器具本体２を、天井仕上げ材に設けられている埋込孔に埋め込む。このとき、作業者は、建物の躯体に下向きに埋め込まれている複数本の吊りボルトを、器具本体２の底板２０の複数の取付孔２３及び補強部材２２の複数のボルト挿通孔２２１１にそれぞれ挿通する。そして、作業者は、複数の取付孔２３及び複数のボルト挿通孔２２１１にそれぞれ挿通した複数本の吊りボルトにナットを締め付けることにより、器具本体２を複数本の吊りボルトに取り付ける。このとき、器具本体２の４つの側板２１のそれぞれの外鍔部２１２により、４つの側板２１と埋込孔との隙間が目隠しされる。
【００３４】
続いて、作業者は、底板２０の電線挿通孔２４から引き込んだ電灯線を第１端子台１０に電気的に接続し、底板２０の別の電線挿通孔２４から引き込んだ信号線を第２端子台１１に電気的に接続する。
【００３５】
次に、作業者は、器具本体２に反射部材４を取り付ける。まず、作業者は、一対の係合部５０のそれぞれの引掛片５０１を、ベース板５２の一対の第１貫通孔５２０に挿通した後、各係合部５０の引掛片５０１を第１貫通孔５２０から第２貫通孔５２１に移動させる。つまり、作業者は、各係合部５０の引掛片５０１を、ベース板５２の第２貫通孔５２１の縁に引っ掛けることで反射部材４を器具本体２に仮保持させる。さらに、作業者は、取付ばね４３の一対の腕部４３１のそれぞれの先端部分に設けられている引掛部４３２を、器具本体２の底板２０の引掛孔２５の周縁に引っ掛ける。このとき、反射部材４は、取付ばね４３によって器具本体２に仮保持される。
【００３６】
最後に、作業者は、反射部材４を押し上げて器具本体２内（底板２０と４つの側板２１に囲まれた空間）に収容する。すると、取付ばね４３の一対の腕部４３１が引掛孔２５に挿入されながら外向きに広がり、一対の腕部４３１のそれぞれの根元部分（コイル部４３０に近い部分）が底板２０の引掛孔２５の周縁に引っ掛けられる。さらに、２つの引掛具４２がそれぞれ、器具本体２の底板２０に取り付けられている２つの引掛ばね１２に引っ掛けられる。その結果、反射部材４は、器具本体２内に収容された状態で、取付ばね４３と２つの引掛ばね１２のばね力によって器具本体２に支持される（図５参照）。上述のようにして、照明器具１Ｘの施工作業が完了する。
【００３７】
ところで、照明器具１Ｘにおいては、器具本体２の底板２０と４つの側板２１と反射部材４に囲まれた空間に、導光板３９の一部（反射部材４よりも下に突出する部分）を除いた光源ユニット３が収納されている。そのため、底板２０と側板２１を連結している部分（連結部２１１）は、水平方向（前後方向及び左右方向）に沿った導光板３９との距離を大きくとる必要がある（図６参照）。しかしながら、側板２１と導光板３９との距離が大きくなるほど、側板２１と導光板３９の隙間から照明空間に漏れる光が増えてしまう。そして、側板２１と導光板３９の隙間から漏れる光は、照明器具１Ｘの配光特性を低下させてしまうおそれがある。
【００３８】
そこで、照明器具１Ｘは、器具本体２の側板２１を、側板２１の連結部２１１に対して主部２１０を導光板３９に近付けきる向きに器具本体２の側板２１を変位させるように構成されている（図６参照）。つまり、４つの側板２１はそれぞれ、導光板３９と連結部２１１の距離Ｌ１に比較して、導光板３９と主部２１０の距離Ｌ０を短く（例えば、半分以下）とするように、主部２１０と連結部２１１の境界部分に曲げ加工が施されている。このように照明器具１Ｘは、器具本体２の内側面（側板２１の内側の表面）と導光板３９との間の隙間の狭小化を図ることができる。なお、側板２１は、主部２１０と導光板３９との距離Ｌ０をゼロとする、すなわち、主部２１０を導光板３９に接触させるように構成されても構わない。ただし、側板２１は、合成樹脂製の導光板３９の熱膨張等を考慮すれば、主部２１０を導光板３９に接触させないことが好ましい。
【００３９】
ところで、光源ユニット３は、ＬＥＤ３００から放射される光のうち、導光板３９に入射せずに側板２１（の連結部２１１）に近付く向きに進行する光を、反射シート３４に反射させて側板２１から遠ざかる向きに進行させている。つまり、光源ユニット３が反射シート３４を備えない場合、導光板３９に入射せずに側板２１（の連結部２１１）に近付く向きに進行する光が、側板２１（の主部２１０）と導光板３９の隙間から照明空間に漏れてしまう可能性がある。ゆえに、光源ユニット３は、反射シート３４を備えていることにより、導光板３９に入射せずに側板２１に近付く向きに進行する光を、側板２１と導光板３９の隙間から照明空間に漏れ難くすることができる。
【００４０】
また、照明器具１Ｘの器具本体２は、底板２０と側板２１を補強する補強部材２２を備えている。補強部材２２は、底板２０の外表面（上面）に接する第１補強部２２１と、第１補強部２２１の長手方向の両端から側板２１に沿って突出する一対の第２補強部２２２とを有している。さらに、一対の第２補強部２２２はそれぞれ、側板２１の連結部２１１の外表面に接している（図６参照）。つまり、器具本体２は、第１補強部２２１を底板２０の外表面に接触させ、一対の第２補強部２２２のそれぞれを対応する側板２１の外表面に接触させることにより、補強部材２２によって底板２０と側板２１を確実に補強することができる。
【００４１】
照明器具１Ｘは上述のように、１つ又は複数少なくとも１つの導光板３９と、１つ又は複数少なくとも１つの光源（ＬＥＤ３００）と、器具本体２と、反射部材４とを備えている。器具本体２は、底板２０と、底板２０の周囲に配置されている１つ又は複数少なくとも１つの側板２１とを有し、底板２０と対向する前面（下面）が開放されている。１つ又は複数の導光板３９は、１つ又は複数の側板２１に沿うように器具本体２の内側に配置されている。１つ又は複数の光源（ＬＥＤ３００）は、器具本体２内において１つ又は複数の導光板３９の端面と対向し、端面から導光板３９内に光を入射するように構成されている。反射部材４は、底板２０と前面との間に配置されており、前面との対向面で１つ又は複数の導光板３９から出射される光を前面に向けて反射するように構成されている。１つ又は複数の側板２１は、導光板３９と対向する部分のうちの少なくとも一部分（主部２１０）を、導光板３９に近付ける向きに変位させるように構成されている。
【００４２】
照明器具１Ｘが上述のように構成されれば、器具本体２の内側面（側板２１の内側の表面）と導光板３９との間の隙間の狭小化を図ることができる。
【００４３】
また、照明器具１Ｘにおいて、側板２１と光源（ＬＥＤ３００）との間に配置される反射体（反射シート３４）を備えていることが好ましい。反射シート３４は、ＬＥＤ３００から放射される光を側板２１から遠ざかる向きに反射させることが好ましい。
【００４４】
照明器具１Ｘが上述のように構成されれば、導光板３９に入射せずに側板２１に近付く向きに進行する光を反射シート３４に反射させ、側板２１と導光板３９の隙間から照明空間に漏れ難くすることができる。
【００４５】
さらに、照明器具１Ｘにおいて、器具本体２を補強する補強部材２２を備えることが好ましい。補強部材２２は、底板２０の外表面に接する第１補強部２２１と、第１補強部２２１の両端から側板２１に沿って突出する一対の第２補強部２２２とを有していることが好ましい。一対の第２補強部２２２はそれぞれ、側板２１の外表面のうちで導光板３９に近付く向きに変位していない部分（連結部２１１）の外表面に接することが好ましい。
【００４６】
照明器具１Ｘが上述のように構成されれば、補強部材２２によって底板２０と側板２１を確実に補強することができる。
【００４７】
（実施形態２）
実施形態２に係る照明器具１Ｙは、図１０に示すように、器具本体２及び反射部材４の形状が実施形態１に係る照明器具１Ｘと相違し、その他の構成については実施形態１に係る照明器具１Ｘとほぼ共通している。したがって、本実施形態に係る照明器具１Ｙの構成のうち、実施形態１に係る照明器具１Ｘの構成と共通する構成については、多少の形状や大きさ及び個数の違いがあっても機能的に共通している構成要素には同一の符号を付して、適宜図示並びに説明を省略する。ただし、以下の説明では、特に断りのない限り、図１０において、照明器具１Ｙの上下、左右及び前後の各方向を規定する。
【００４８】
本実施形態に係る照明器具１Ｙ（以下、照明器具１Ｙと略す）は、図１０、図１１Ａ〜図１１Ｃ及び図１２に示すように、器具本体２と、２つの光源ユニット３と、反射部材４とを備えている。
【００４９】
器具本体２は、底板２０と、一対の第１側板２１Ａと、一対の第２側板２１Ｂと、一対の補強部材２２とを備えることが好ましい。底板２０は、長手方向を左右方向と平行させた長尺の矩形板状に形成されている。一対の第１側板２１Ａはそれぞれ、長手方向を左右方向と平行させた長尺の矩形板状に形成され、底板２０の長手方向に沿った両端（前端及び後端）から下向きに突出している。一対の第２側板２１Ｂはそれぞれ、正方形に近い矩形板状に形成され、底板２０の短手方向に沿った両端（左端及び右端）から下向きに突出している。一対の補強部材２２は、第１補強部２２１と、一対の第２補強部２２２と、一対の第３補強部２２３とを有している。第１補強部２２１は、矩形板状に形成されている（図１１Ｄ参照）。一対の第２補強部２２２はそれぞれ、概ね矩形板状であって、上側の２つの角がＣ面取りされている（図１１Ｂ参照）。なお、一対の第２補強部２２２はそれぞれ、第１補強部２２１の前端及び後端から下向きに突出するように第１補強部２２１と一体に形成されることが好ましい。一対の第３補強部２２３はそれぞれ、概ね矩形板状であって、上側の２つの角がＣ面取りされている（図１１Ｃ参照）。なお、一対の第３補強部２２３はそれぞれ、第１補強部２２１の左端及び右端から上向きに突出するように第１補強部２２１と一体に形成されることが好ましい。一対の補強部材２２はそれぞれ、底板２０の上面における長手方向（左右方向）の両端近くに第１補強部２２１がねじ止めされる（図１０及び図１１Ｄ参照）。
【００５０】
２つの光源ユニット３はそれぞれ、実施形態１に係る照明器具１Ｘの光源ユニット３と同一の構成を有することが好ましい。これら２つの光源ユニット３はそれぞれ、一対の第１側板２１Ａのそれぞれの内側面に導光板３９の第２表面が接するようにして器具本体２内に収容される。また、２つの光源ユニット３はそれぞれ、第１支持部材３１が器具本体２の底板２０にねじ止めされる（図１２参照）。
【００５１】
反射部材４は、反射板４０と、一対の第１反射側板４１Ａと、一対の第２反射側板４１Ｂと、引掛具と、取付ばね４３とを備えることが好ましい。反射板４０は、長手方向を左右方向と平行させた長尺の矩形板状に形成されている。一対の第１反射側板４１Ａはそれぞれ、長手方向を左右方向と平行させた長尺の矩形板状に形成され、反射板４０の長手方向に沿った両端（前端及び後端）から上向きに突出している。一対の第２反射側板４１Ｂはそれぞれ、長手方向を前後方向と平行させた長尺の矩形板状に形成され、反射板４０の短手方向に沿った両端（左端及び右端）から上向きに突出している。なお、電源ユニット、第１端子台１０及び第２端子台は、器具本体２の底板２０の下面に取り付けられ、反射部材４と底板２０の間に形成される空間に収容される（図１２参照）。
【００５２】
ねじりコイルばねからなる取付ばね４３のコイル部４３０が、反射板４０の上面における長手方向の中央近くに取り付けられる（図１１Ｄ及び図１２参照）。また、引掛具が反射板４０の上面における長手方向の端に取り付けられる。
【００５３】
照明器具１Ｙは、実施形態１に係る照明器具１Ｘと同じく天井仕上げ材の埋込孔に埋め込まれた状態で施工される。そして、照明器具１Ｙは、電源装置から給電させることによって２つの光源ユニット３をそれぞれ点灯する。２つの光源ユニット３（の複数個のＬＥＤ３００）から放射される光は、導光板３９の入射面（上面）から導光板３９内に入射し、導光板３９内を導光されながら導光板３９の内側面及び下面から出射する。このとき、導光板３９の第１表面から出射する光は、導光板３９の第１表面に形成されている細かな凹凸によって拡散される。導光板３９の第１表面から出射され、かつ、拡散された光の一部は、器具本体２内に向かって進行する。そして、器具本体２内に向かって進行した光は、器具本体２内に配置されている反射部材４の反射板４０（の下面）で反射され、反射板４０の下方に照射される。さらに、器具本体２内に向かって進行した光の一部並びに反射板４０で反射された光の一部は、一対の第２側板２１Ｂ（の内側面）で反射されて下方に照射される。
【００５４】
ここで、照明器具１Ｙは、実施形態１に係る照明器具１Ｘと同様に、器具本体２の２つの側板２１Ａ、２１Ｂを、側板２１Ａ、２１Ｂの連結部２１１に対して主部２１０を導光板３９に近付けきる向きに変位させるように構成されている（図１２参照）。このように照明器具１Ｙは、器具本体２の内側面（側板２１Ａ、２１Ｂの内側の表面）と導光板３９との間の隙間の狭小化を図ることができる。
【００５５】
ところで、導光板３９は合成樹脂製であるので、成形時に長手方向に沿った反りが発生する可能性がある。したがって、上述した実施形態１、２の照明器具１Ｘ、１Ｙにおいて、導光板３９の反りに起因して導光板３９の長手方向の両端部分と側板２１との間の隙間が広がるおそれがある。
【００５６】
そこで、照明器具１Ｘ、１Ｙは、図１３及び図１４に示すように、底板２０に対する導光板３９の傾きを調整する調整部材７及び調整ねじ８を、各光源ユニット３に対応して２つずつ備えることが好ましい。ただし、照明器具１Ｘ、１Ｙは、各光源ユニット３に対応して調整部材７及び調整ねじ８を１つずつ備えてもよいし、ｎ個（ｎは３以上の自然数）ずつ備えてもよい。
【００５７】
調整部材７及び調整ねじ８は、器具本体２の底板２０にねじ止めされている光源ユニット３を底板２０に対して傾かせることにより、導光板３９と側板２１の間の隙間を狭めるように構成されている。以下、図面を参照して、調整部材７及び調整ねじ８について詳しく説明する。
【００５８】
調整部材７は、図１５及び図１６に示すように、矩形平板状の固定部７０と、矩形平板状であって固定部７０の端縁から固定部７０の厚み方向に突出する突板部７１とを有している。なお、固定部７０と突板部７１は、矩形の金属板がＬ字状に曲げ加工されることで一体に形成されている。固定部７０は、その中央に円形のねじ挿通孔７００が設けられている。突板部７１は、その中央にめねじ部７１０が設けられている。固定部７０は、第１結合片３１１と第２結合片３２１を結合している結合ねじ３７がねじ挿通孔７００に挿通されることにより、第２結合片３２１とともに第１結合片３１１にねじ止めされる（図１６参照）。すなわち、固定部７０は、ねじ挿通孔７００に挿通される結合ねじ３７が第１結合片３１１のめねじ部３１４にねじ込まれることで第１支持部材３１及び第２支持部材３２に固定されている。調整部材７の突板部７１は、光源ユニット３が器具本体２の底板２０に取り付けられた状態において、上下方向に沿って底板２０とほぼ平行に対向している。ここで、調整部材７は、突板部７１の下面から底板２０の下面までの距離Ｄ１（上下方向に沿った距離）を調整ねじ８のねじ部８０の長さＬ１よりも短くするように第１支持部材３１及び第２支持部材３２に固定されている（図１６参照）。
【００５９】
調整ねじ８は、そのねじ部８０を突板部７１のめねじ部７１０に下から上に向かってねじ込むようにして調整部材７に取り付けられる（図１６参照）。調整ねじ８は、正回転（右ねじの場合は右回り、左ねじの場合は左回り）させられると、ねじ部８０の先端（上端）が底板２０の下面に当たるまでは突板部７１に対して底板２０に近付く向き（上向き）に進行する。しかしながら、ねじ部８０の先端が底板２０の下面に当たった後に調整ねじ８が正回転すると、調整ねじ８に対して突板部７１が調整ねじ８に沿って底板２０から離れる向き（下向き）に移動する。突板部７１が下向きに移動すると、突板部７１との連結部分を軸として固定部７０が回転する。このとき、固定部７０の回転向きは、先端部分（下端部分）を光源ユニット３の導光板３９に近付ける向きである。したがって、光源ユニット３の支持部材は、調整部材７（の固定部７０）に押されて傾くので、支持部材（第１支持部材３１及び第２支持部材３２）に支持されている導光板３９も側板２１に近付く向きに変位（回転）する。その結果、照明器具１Ｘ、１Ｙは、導光板３９の反りに起因した、導光板３９と側板２１の間の隙間の広がりの抑制を図ることかできる。
【００６０】
ここで、合成樹脂の成形体である導光板３９は、長手方向に沿って弧状に反る傾向がある。そのため、導光板３９と側板２１との間の隙間は、導光板３９の長手方向の両端に近いほど広がる可能性が高い。したがって、照明器具１Ｘ、１Ｙは、各光源ユニット３の第２支持部材３２の長手方向の両端又は両端近傍に調整部材７が１つずつ取り付けられることが好ましい（図１３及び図１４参照）。
【００６１】
また、照明器具２の底板２０は、図１７に示すように、第１支持部材３１が取り付けられる取付部２００を有している。取付部２００は、ボルト１３が挿通される孔２０１を有している。そして、第１支持部材３１のボルト挿通孔及び取付部２００の孔２０１に挿通されたボルト１３にナット１４が締め付けられることによって、光源ユニット３の第１支持部材３１が取付部２００（底板２０）に取り付けられる。さらに、取付部２００は、底板２０に片持ちされた板状に形成されている。具体的には、取付部２００は、図１７に示すように、底板２０を貫通するＵ字形状の溝２０２の両端間で底板２０と繋がった片持ち梁（カンチレバー：cantilever）のように構成されている。したがって、取付部２００は、底板２０の厚み方向（上下方向）に揺れ動くことができる。ゆえに、照明器具１Ｘ、１Ｙは、取付部２００が底板２０に片持ちされた板状に形成されているので、調整ねじ８を回すために必要な力が低減される。その結果、照明器具１Ｘ、１Ｙは、調整部材７及び調整ねじ８による調整作業の作業性の向上を図ることができる。ただし、取付部２００は必ずしも底板２０に片持ちされなくてもよい。例えば、取付部２００は、器具本体２の底板２０を形成している金属板の厚みが小さければ（例えば、０．５［ｍｍ］以下であれば）、底板２０に対して底板２０の厚み方向（上下方向）に沿って変位（撓み）可能となる。このように底板２０に対して変位可能な取付部２００に光源ユニット３が取り付けられれば、調整部材７の変位（回転）に合わせて取付部２００が変位する（撓む）ため、調整ねじ８を回すために必要な力を低減することができる。つまり、照明器具１Ｘ、１Ｙは、調整ねじ８を回すために必要な力が低減されるので、調整部材７及び調整ねじ８による調整作業の作業性の向上を図ることができる。
【００６２】
上述のように照明器具１Ｘ、１Ｙは、光源（ＬＥＤ３００）と導光板３９を支持する少なくとも１つの支持部材（第１支持部材３１及び第２支持部材３２）と、少なくとも１つの調整部材７と、少なくとも１つの調整ねじ８とを、更に備えることが好ましい。第１支持部材３１及び第２支持部材３２は、導光板３９の端面にＬＥＤ３００を対向させて支持することが好ましい。さらに、第１支持部材３１及び第２支持部材３２は、底板２０に取り付けられることが好ましい。調整部材７は、第１支持部材３１及び第２支持部材３２に固定される固定部７０と、固定部７０から突出して底板２０と対向する突板部７１とを有することが好ましい。突板部７１は、突板部７１を貫通して調整ねじ８がねじ込まれるめねじ部７１０を有していることが好ましい。
【００６３】
照明器具１Ｘ、１Ｙが上述のように構成されれば、調整ねじ８の先端を底板２０に当てた状態で調整ねじ８が回されると、調整ねじ８に沿って底板２０から離れる向きに突板部７１を移動させることができる。突板部７１が底板２０から離れる向きに移動することにより、調整部材７の固定部７０に押された支持部材（第１支持部材３１及び第２支持部材３２）が傾くので、導光板３９が側板２１に近付く向きに変位する。その結果、照明器具１Ｘ、１Ｙは、導光板３９の反りに起因した、導光板３９と側板２１の間の隙間の広がりの抑制を図ることかできる。
【００６４】
また、照明器具１Ｘ、１Ｙにおいて、底板２０は、支持部材（第１支持部材３１及び第２支持部材３２）が取り付けられる少なくとも１つの取付部２００を有することが好ましい。取付部２００は、底板２０に対して変位可能に構成されていることが好ましい。
【００６５】
照明器具１Ｘ、１Ｙが上述のように構成されれば、調整部材７の変位に合わせて取付部２００が変位する（撓む）ため、調整ねじ８を回すために必要な力を低減することができる。つまり、照明器具１Ｘ、１Ｙは、調整ねじ８を回すために必要な力が低減されるので、調整部材７及び調整ねじ８による調整作業の作業性の向上を図ることができる。
【００６６】
さらに、照明器具１Ｘ、１Ｙにおいて、取付部２００は、底板２０に片持ちされた板状に形成されていることが好ましい。
【００６７】
照明器具１Ｘ、１Ｙが上述のように構成されれば、調整ねじ８を回すために必要な力が更に低減されるので、調整部材７及び調整ねじ８による調整作業の作業性の更なる向上を図ることができる。
【符号の説明】
【００６８】
１Ｘ、１Ｙ  照明器具
２  器具本体
４  反射部材
７  調整部材
８  調整ねじ
２０  底板
２１  側板
２２  補強部材
３１  第１支持部材（支持部材）
３２  第２支持部材（支持部材）
３４  反射シート（反射体）
３９  導光板
７０  固定部
７１  突板部
８０  ねじ部
２００  取付部
２２１  第１補強部
２２２  第２補強部
３００  ＬＥＤ（光源）
７１０  めねじ部
【図１】
2018022673.tif 000003
【図２】
2018022673.tif 000004
【図３】
2018022673.tif 000005
【図４】
2018022673.tif 000006
【図５】
2018022673.tif 000007
【図６】
2018022673.tif 000008
【図７】
2018022673.tif 000009
【図８】
2018022673.tif 000010
【図９】
2018022673.tif 000011
【図１０】
2018022673.tif 000012
【図１１】
2018022673.tif 000013
【図１２】
2018022673.tif 000014
【図１３】
2018022673.tif 000015
【図１４】
2018022673.tif 000016
【図１５】
2018022673.tif 000017
【図１６】
2018022673.tif 000018
【図１７】
2018022673.tif 000019